(57)【要約】【課題】皮膚に優しく、皮膚の汚れを良好に落とすことのできる身体洗浄具を提供する。【解決手段】本考案の身体洗浄具１は、第１袋体２と、第２袋体３とを備えている。第１袋体２は、化学繊維を網状に編み込むことで形成されており、一方側に開口２０を有している。第２袋体３は、天然繊維を網状に編み込むことで形成されており、一方側に開口３０を有している。身体洗浄具１では、第１袋体２の開口２０が第２袋体３の開口３０から露出するように、第１袋体２が第２袋体３の内部に配置されて、第１袋体２と第２袋体３とが接合されている。【選択図】図１
0003207272.tif 000002
【実用新案登録請求の範囲】
【請求項１】
化学繊維を網状に編み込んで形成されている第１袋体と、
天然繊維を網状に編み込んで形成されている第２袋体とを備え、
前記第１袋体と前記第２袋体とは、それぞれ、一方側に開口を有するものであり、
前記第１袋体の開口が前記第２袋体の開口から露出するように、前記第１袋体が前記第２袋体の内部に配置されて、前記第１袋体と前記第２袋体とが接合されている身体洗浄具。
【請求項２】
前記第１袋体の開口を閉塞するために使用される紐をさらに備え、
前記紐は、前記第１袋体と前記第２袋体との間において、前記第１袋体の外周回りに延びており、
前記紐の一端側及び他端側は、前記第２袋体の網目から、前記第２袋体の外側に延び出ている、請求項１に記載の身体洗浄具。
【請求項３】
前記第１袋体と前記第２袋体との接合は、前記紐の直上及び直下において、前記第１袋体や前記第２袋体の周方向に行われている、請求項２に記載の身体洗浄具。
【考案の詳細な説明】
【技術分野】
【０００１】
本考案は、身体洗浄具に関する。
【背景技術】
【０００２】
従来、身体を洗浄するために、ナイロン等の化学繊維を用いて網状に形成されたタオルが使用されている。このタオルは、湯や水に濡らした状態で、石鹸をこすり付けることで泡立ちを生じるものであり、身体を洗浄する際には、上記のように泡立ちが生じた状態でタオルを身体に擦り付けることが行われる。
【考案の概要】
【考案が解決しようとする課題】
【０００３】
しかしながら、上述した従来のタオルは、ナイロン等の硬質な化学繊維から形成されることで、良好な泡立ちを生じさせるものではあったものの、皮膚に対して優しいものではなかった。
【０００４】
そこで、本考案は、皮膚に優しいとともに、皮膚の汚れを良好に落とすことのできる身体洗浄具を提供することを目的とする。
【課題を解決するための手段】
【０００５】
上記目的を達成するため、本考案は、次の項に記載の主題を包含する。
【０００６】
項１．化学繊維を網状に編み込んで形成されている第１袋体と、
天然繊維を網状に編み込んで形成されている第２袋体とを備え、
前記第１袋体と前記第２袋体とは、それぞれ、一方側に開口を有するものであり、
前記第１袋体の開口が前記第２袋体の開口から露出するように、前記第１袋体が前記第２袋体の内部に配置されて、前記第１袋体と前記第２袋体とが接合されている身体洗浄具。
【０００７】
項２．前記第１袋体の開口を閉塞するために使用される紐をさらに備え、
前記紐は、前記第１袋体と前記第２袋体との間において、前記第１袋体の外周回りに延びており、
前記紐の一端側及び他端側は、前記第２袋体の網目から、前記第２袋体の外側に延び出ている、項１に記載の身体洗浄具。
【０００８】
項３．前記第１袋体と前記第２袋体との接合は、前記紐の直上及び直下において、前記第１袋体や前記第２袋体の周方向に行われている、項２に記載の身体洗浄具。
【考案の効果】
【０００９】
本考案の身体洗浄具によれば、石鹸を第１袋体の開口から第１袋体の内部に投入して、湯や水で濡らして身体に擦り付ければ、第１袋体が化学繊維からなることで、石鹸の泡が大量に発生する。そして、この大量の泡が第１袋体や第２袋体の網目を通過して皮膚に触れつつ、柔かい天然繊維からなる第１袋体が皮膚に擦り付けられることで、皮膚に優しく、皮膚の汚れを良好に落とすことができる。
【図面の簡単な説明】
【００１０】
【図１】本考案の実施形態に係る身体洗浄具を示す写真である。
【図２】本考案の実施形態に係る身体洗浄具に石鹸が収容された状態を示す概略斜視図である。
【図３】本考案の実施形態に係る身体洗浄具１を分解した状態を示す概略斜視図である。
【図４】第１袋体の開口を閉塞した状態を示す概略斜視図である。
【考案を実施するための形態】
【００１１】
以下、本考案の実施形態に係る身体洗浄具１について図面を参照しつつ説明する。
【００１２】
図１は、本考案の実施形態に係る身体洗浄具１を示す写真である。図２は、本実施形態に係る身体洗浄具１に石鹸Ｓが収容された状態を示す概略斜視図である。図３は、本実施形態に係る身体洗浄具１を分解した状態を示す概略斜視図である。図４は、図２の対応図であって、後述する第１袋体２の開口２０を閉塞した状態を示す概略斜視図である。
【００１３】
本実施形態の身体洗浄具１は、風呂や洗面台等において、身体（胴体や腕や足や顔）を洗浄する際に使用されるものである。図１〜図４に示すように、身体洗浄具１は、第１袋体２と、第２袋体３と、紐４とを備えている。
【００１４】
第１袋体２は、ポリエステル、ポリエチレン、ナイロン、ウレタンなどからなる化学繊維を網状に編み込んで形成されたものである。第１袋体２は、一方側に開口２０を有しており、その内部に石鹸Ｓ（図２〜図４）を収容するようになっている。本実施形態では、第１袋体２は、側面視で矩形状を呈して、縦横の寸法がそれぞれ１０ｃｍ以上〜１５ｃｍ以下とされており、スーパーマーケットや薬局等で市販されている一般的な石鹸Ｓを内部に収容できるようになっている。なお第１袋体２の形状は、上記の矩形状に限らず、上記の石鹸Ｓを内部に収容可能な任意の形状とされ得る。
【００１５】
第２袋体３は、天然繊維を網状に編み込んで形成されたものであり、一方側に開口３０を有している。上記の天然繊維は、絹、綿、麻などからなる繊維である。第２袋体３は、内部に第１袋体２を配置可能な大きさを有する。本実施形態では、第２袋体３は、側面視で矩形状を呈しており、第２袋体３の縦横の寸法は、第１袋体２の縦横の寸法と同等、或いはそれよりも大きく設定される。なお第２袋体３の形状は、上記の矩形状に限らず、内部に第１袋体２を配置可能な任意の形状とされ得る。
【００１６】
身体洗浄具１は、第１袋体２の開口２０が第２袋体３の開口３０から露出するように、第１袋体２が第２袋体３の内部に配置されたものであり、第１袋体２と第２袋体３とがこれらの周方向に縫い合わされることで、第１袋体２と第２袋体３とが接合されている。第１袋体２と第２袋体３との縫い合わせは、袋体２，３の周方向の全周回りにおいて、或いは、袋体２，３の周方向に間隔をあけた複数の位置において行われている。なお第１袋体２は、第２袋体３の網目から見えるものであるが、図２や図４では、第２袋体３の網目を明確に示すべく、第２袋体３の網目から見える第１袋体２の網目の図示を省略している（図２では、第２袋体３の網目から見える第１袋体２の輪郭（破線）や、第２袋体３の開口３０から見える第１袋体２の輪郭・網目については示している）。
【００１７】
紐４は、第１袋体２の開口２０を閉塞するために使用されるものである。紐４は、第１袋体２と第２袋体３との間で、第１袋体２の外周回りに延びている（以下、「第１袋体２と第２袋体３との間」を「袋体２，３の間」と適宜記す）。そして紐４の一端側４０や他端側４１は、第２袋体３の網目から第２袋体３の外側に延び出ており、紐４の一端４０ａと他端４１ａとが結ばれている。また上述した第１袋体２と第２袋体３の周方向の接合（縫い合わせ）が紐４の直上及び直下で行われていることで、袋体２，３の間では、紐４が、上下にずれずに、第１袋体２の外周回りに延びる状態が維持されるようになっている。
【００１８】
以上の構成を有する身体洗浄具１は、以下の（i）〜（iv）の手順が順次実行されることで製造される。
（i）第１袋体２の開口２０が第２袋体３の開口３０から露出するように、第１袋体２を第２袋体３の内部に配置する。
（ii）紐４を袋体２，３の間に差し込んで、紐４を第１袋体２の外周回りに巻き付ける。
（iii）紐４の一端側４０や他端側４１を、第２袋体３の網目から第２袋体３の外側に延び出して、紐４の一端４０ａと他端４１ａとを結ぶ。
（iv）紐４の直上及び直下において、第１袋体２と第２袋体３とを周方向に縫い合わせる（紐４の直上及び直下における袋体２，３の縫い合わせは、袋体２，３の全周回りで、或いは袋体２，３の周方向に間隔をあけた複数の位置で行われる）。
【００１９】
身体洗浄具１を使用する際には、石鹸Ｓが、第１袋体２の開口２０から、第１袋体２の内部に投入される。そして、身体洗浄具１を、湯や水で濡らし、身体（胴体や腕や足や顔）に擦り付けることで、石鹸Ｓの泡立ちを生じさせて身体を洗浄する。このときには、石鹸Ｓを収容する第１袋体２が、化学繊維で形成されていることから、泡が大量に発生する。そして、この大量に発生した泡が第１袋体２の網目や第２袋体３の網目を通過して皮膚に触れながら、柔かい天然繊維からなる第２袋体３が皮膚に擦り付けられることによって、身体の洗浄が行われる。このことから、本実施形態の身体洗浄具１は、皮膚に対して優しいとともに、皮膚の汚れを良好に落とすことができる。
【００２０】
また本実施形態の身体洗浄具１は、袋体３の外側に延び出ている紐４の一端側４０及び他端側４１を図４に示す方向Ａに引っ張って、袋体３の外側に延び出る紐４の範囲をより長くすることで（袋体２，３の間にある紐４の範囲を短くすることで）、第１袋体２の開口２０を閉塞して、第１袋体２の内部から石鹸Ｓが抜け出ないようにすることができる。例えば、身体の洗浄のため身体洗浄具１を身体に擦り付ける間において、図４に示すように第１袋体２の開口２０を閉塞して、石鹸Ｓが第１袋体２の内部から抜け出ないようにしておけば、石鹸Ｓの泡立てを継続して生じさせることができる。このため、皮膚の汚れを確実に落とすことができる。また身体の洗浄後に、図４に示すように第１袋体２の開口２０を閉塞しておけば、次回の洗浄までに第１袋体２の内部に石鹸Ｓを留置できるので、次回の洗浄の際に石鹸Ｓを探す手間を要しない。
【００２１】
また、袋体２，３の周方向の接合（縫い合わせ）が紐４の直上及び直下で行われていることで、袋体２，３の間に配置される紐４の範囲が、上下にずれず、第１袋体２の外周回りに延びた状態が維持される。このため、紐４の一端側４０及び他端側４１の引っ張りで、第１袋体２の開口２０を確実に閉塞できる。また、袋体２，３の間に配置される紐４の範囲が、袋体２，３の間から出ないので、身体洗浄具１の外観が良好なものとなる。
【００２２】
また上記実施形態で述べたように、紐４の一端４０ａと他端４１ａとを結んで紐４を輪状にすれば、紐４が袋体２，３から外れないので、紐４を紛失してしまうことを防止できる。また、身体洗浄具１の不使用時に、紐４の輪で身体洗浄具１を洗面台等に引っ掛けておくこともできる。
【００２３】
以上、本考案の実施形態について説明したが、本考案はこれらに限定されるものではなく、本考案の趣旨を逸脱しない限りにおいて種々の変更が可能である。
【００２４】
また上記の実施形態では、第１袋体２と第２袋体３とを縫い合わせることで、第１袋体２と第２袋体３とを接合する例を示したが、例えば、接着剤を用いて第１袋体２と第２袋体３とを接合してもよい。この場合、紐４の直上及び直下において、接着剤を用いて第１袋体２と第２袋体３とを周方向に接合することが行われる。なお紐４の直上及び直下における袋体２，３の接合は、袋体２，３の周方向の全周回りで、或いは、袋体２，３の周方向に間隔をあけた複数の位置で行われる。
【００２５】
また、紐４は、必ずしも必要ではなく、身体洗浄具１から省略されてもよい。また、必ずしも第１袋体２と第２袋体３とを周方向に接合する必要もない。すなわち第１袋体２が第２袋体３の内部に配置された状態を維持可能であれば、第１袋体２と第２袋体３とは、これらの深さ方向に接合されてもよく、或いは、ランダムに設定された複数の位置で接合されてもよく、或いは、一つの位置で接合されてもよい。
【符号の説明】
【００２６】
１  身体洗浄具
２  第１袋体
３  第２袋体
４  紐
２０  第１袋体の開口
３０  第２袋体の開口
４０  紐の一端側
４１  紐の他端側
Ｓ  石鹸
【図１】
0003207272.tif 000003
【図２】
0003207272.tif 000004
【図３】
0003207272.tif 000005
【図４】
0003207272.tif 000006